(57)【要約】      （修正有）【課題】消臭材の欠落物や粉体などが消臭ハンガーカバーから漏れ出ることを極めて有効に防止できる消臭ハンガーを提供する。【解決手段】ハンガー本体と消臭ハンガーカバー３を備えており、消臭ハンガーカバー３は、最小粒径が１００μｍ以上、最大粒径が２ｍｍ以下の複数個の球状のフェノール樹脂由来活性炭粒子である複数個の球状の消臭材４と、複数個の気泡を有しそれに消臭材４を保持する発泡合成樹脂体５と、発泡合成樹脂体５を包む不織布製又は布製のシート体６と、を有する。【選択図】図２
2019198492.tif 000002
【特許請求の範囲】
【請求項１】
最小粒径が１００μｍ以上、最大粒径が２ｍｍ以下の複数個の球状のフェノール樹脂由来活性炭粒子である複数個の球状の消臭材と、
複数個の気泡を有しそれに前記消臭材を保持する発泡合成樹脂体と、
該発泡合成樹脂体を包む不織布製又は布製のシート体と、
を有し、ハンガー本体を覆う形状であることを特徴とする消臭ハンガーカバー。
【請求項２】
請求項１に記載の消臭ハンガーカバーにおいて、
前記消臭材は人工酵素を担持していることを特徴とする消臭ハンガーカバー。
【請求項３】
請求項１又は２に記載の消臭ハンガーカバーと、
前記ハンガー本体と、
を備えることを特徴とする消臭ハンガー。
【発明の詳細な説明】
【技術分野】
【０００１】
本発明は、消臭機能を有する消臭ハンガーカバー及びそれを備える消臭ハンガーに関する。
【背景技術】
【０００２】
ハンガーは、上着、ズボン、スカート等の衣服を一着ずつ吊り下げて保管するために用いられる。ハンガーは、一般的な形状が肩幅程度の幅のゆるく曲がった三角形状や棒形状などであり、上部中央から上方に向かって設けられたフックでバーなどに掛ける構造になっている。ハンガーは、多くは、単に整理のために衣服を掛けたり挟持したりして保管するための道具であるが、一度着用した衣服を保管する際に、着用時に付着した体臭や環境臭を消臭する消臭ハンガーが知られている。
【０００３】
特許文献１には、シート状基材に、消臭材（活性炭、有機酸及び／またはアミン化合物）を添着させ、その表面等に通気性の良い布または不織布を積層した複合シートをハンガーを被覆する形状とした消臭（脱臭性）ハンガーカバー及びそれを備える消臭（脱臭性）ハンガーが開示されている。
【先行技術文献】
【特許文献】
【０００４】
【特許文献１】実開平４−８６４７８号公報
【発明の概要】
【発明が解決しようとする課題】
【０００５】
しかしながら、特許文献１に開示されるようにシート状基材に通常の活性炭などの消臭材を添着しただけでは、消臭材が崩壊して、特に年月の経過とともに消臭材が崩壊して、その欠落物や粉体などが消臭ハンガーカバーから漏れ出る可能性がある。
【０００６】
本発明は、係る事由に鑑みてなされたものであり、その目的は、消臭材の欠落物や粉体などが消臭ハンガーカバーから漏れ出ることを極めて有効に防止できる消臭ハンガーカバー及びそれを備える消臭ハンガーを提供することにある。
【課題を解決するための手段】
【０００７】
上記目的を達成するために、請求項１に記載の消臭ハンガーカバーは、最小粒径が１００μｍ以上、最大粒径が２ｍｍ以下の複数個の球状のフェノール樹脂由来活性炭粒子である複数個の球状の消臭材と、複数個の気泡を有しそれに前記消臭材を保持する発泡合成樹脂体と、該発泡合成樹脂体を包む不織布製又は布製のシート体と、を有し、ハンガー本体を覆う形状であることを特徴とする。
【０００８】
請求項２に記載の消臭ハンガーカバーは、請求項１に記載の消臭ハンガーカバーにおいて、前記消臭材は人工酵素を担持していることを特徴とする。
【０００９】
請求項３に記載の消臭ハンガーは、請求項１又は２に記載の消臭ハンガーカバーと、前記ハンガー本体と、を備えることを特徴とする。
【発明の効果】
【００１０】
本発明の消臭ハンガーカバー又は消臭ハンガーによれば、消臭材の欠落物や粉体などが消臭ハンガーカバーから漏れ出ることを極めて有効に防止できる。
【図面の簡単な説明】
【００１１】
【図１】本発明の実施形態に係る消臭ハンガーを示すものであって、（ａ）が正面図、（ｂ）が底面図、（ｃ）がＡ−Ａで示す面で切断した断面図である。
【図２】同上の消臭ハンガーの消臭ハンガーカバーの構造を示すものであって、（ａ）が消臭ハンガーカバーの厚さ方向の模式的な部分拡大断面図、（ｂ）が（ａ）を更に拡大して発泡合成樹脂体における消臭材を模式的に示す部分拡大断面図である。
【図３】同上の消臭ハンガーの消臭材の微細構造を模式的に示す模式図である。
【図４】同上の消臭ハンガーの消臭材の消臭効果の実験結果を示すグラフで          ある。
【図５】同上の消臭ハンガーの発泡合成樹脂体に消臭材を入り込ませる方法の例を示す概略図である。
【図６】同上の消臭ハンガーの発泡合成樹脂体の作製過程を示すものであって、（ａ）が正面側部分の正面図、（ｂ）が裏面側部分の裏面図である。
【図７】同上の消臭ハンガーのシート体の作製過程を示すものであって、（ａ）が正面側部分の正面図、（ｂ）が裏面側部分の裏面図である。
【発明を実施するための形態】
【００１２】
以下、本発明を実施するための形態を図面を参照しながら説明する。本発明の実施形態に係る消臭ハンガー１は、図１に示すように、ハンガー本体２と消臭ハンガーカバー３を備えたものである。ハンガー本体２は、それのみでも衣服を一着ずつ吊り下げて保管できるものであって、ハンガーとして市販されているものを用いることができる。ハンガー本体２は、上部中央から上方に向かって設けられたフック２１でバーなどに掛ける構造になっている。消臭ハンガーカバー３は、ハンガー本体２を覆う形状である。本実施形態では、ハンガー本体２は、肩幅程度の幅のゆるく曲がった三角形状のものであり、消臭ハンガーカバー３は、このハンガー本体２の形状に応じた形状となっている。
【００１３】
消臭ハンガーカバー３は、図２（ａ）に示すように、複数個の球状の消臭材４と発泡合成樹脂体５とシート体６を有している。消臭材４は、図２（ｂ）に示すように、後に詳述するように発泡合成樹脂体５（より詳細には、その気泡）に保持されている。
【００１４】
複数個の球状の消臭材４は、複数個の球状のフェノール樹脂由来活性炭粒子である。つまり、消臭材４は、フェノール樹脂を原材料とする球状の粒子を炭化し賦活したものである。消臭材４は、図３に示すような様々な幅の細孔４１を有しており、それにより吸着材として働くものである。消臭材４は、高温（例えば、後述するように８５０℃程度）で炭化し、過度の賦活をしなければ、振動又はある程度の衝撃では崩壊しないくらいに高い強度及び耐久性を得ることができる。
【００１５】
複数個の球状の消臭材４のそれぞれは、最小粒径が１００μｍ以上、最大粒径が２ｍｍ以下である。そのような粒径とすれば、消臭材４の表面４ｓ近くの細孔４１が多くて吸着材として有効であり、かつ、ある程度の質量を有しているので空気中に舞うことなく取り扱い（ハンドリング）が容易である。最小粒径は、好ましくは２００μｍ以上である。最大粒径は、好ましくは１ｍｍ以下、更に好ましくは６００μｍ以下である。
【００１６】
炭化は、例えば、炭化炉内で窒素雰囲気下、８〜９時間かけて昇温し温度８５０℃で２時間程度保持するようにすることができる。賦活は、例えば、炉内に水蒸気を流入させ、温度８５０℃で２〜２４時間保持するようにすることができる。このような炭化と賦活により、消臭材４は、比表面積が好ましくは１０００〜２５００ｍ２／ｇ、更に好ましくは１４００〜１８００ｍ２／ｇのものを得ることができる。なお、比表面積を大きくすると吸着能力を高くすることができるが、反面、強度及び耐久性が低下し易い傾向になる。
【００１７】
フェノール樹脂を原材料とする球状の粒子は、球状を良好に保ったまま炭化し賦活することができる。従って、粒径の管理は炭化の前に行っておけばよい。球状のフェノール樹脂由来活性炭粒子である消臭材４は、活性炭なのに、非常に強度及び耐久性が高く、また、摩耗しにくく万一手などに触れてもほぼ汚れない。
【００１８】
消臭材４は、後述するように発泡合成樹脂体５に保持させる前に、人工酵素を吸着させそれを担持しておくことも可能である。人工酵素は、生体内の酸化酵素が様々な物質を酸化し解毒することから、その酸化酵素を模して人工的に作られた酵素である。人工酵素は、酸化反応触媒性能を有する化合物（例えば、オリエント化学工業株式会社製のフタロシアニン類似の化合物であるＤＥＯＲＡＳＥ（登録商標））を用いることができる。人工酵素を担持している消臭材４は、吸着した又は吸着しようとする体臭などの分子を人工酵素の触媒作用によって分解し、体臭などの分子が消臭材４の細孔４１を埋め尽くすのを阻止して、消臭効果を半永久的なものとすることが可能である。
【００１９】
消臭材４の消臭効果の実験結果を図４に示す。体臭の代わりに初期濃度が約１００ｐｐｍのアンモニアガスを用いた。消臭材４は、複数個の合計を５ｇとした。人工酵素は、オリエント化学工業株式会社製のＤＥＯＲＡＳＥ（登録商標）とした。図４の縦軸は、アンモニアガスの濃度である。図４の横軸は、経過時間であり、１０分、３０分、１時間、３時間、６時間で測定した。図中、曲線ａは人工酵素を担持している消臭材４を９Ｌの空気中に入れた濃度変化、曲線ｂは人工酵素を担持していない消臭材４を９Ｌの空気中に入れた濃度変化、曲線ｃは消臭材４を９Ｌの空気中に入れていない濃度変化、である。
【００２０】
図４より、６時間経過後のアンモニアガスの濃度は、人工酵素を担持していない消臭材４（曲線ｂ）では約４０％と減少しており、人工酵素を担持している消臭材４（曲線ａ）では５％以下と非常に減少している。このことから、消臭材４は、人工酵素を担持していなくても消臭効果は有るが、人工酵素を担持していると非常に消臭効果が増加することが分かる。
【００２１】
発泡合成樹脂体５は、複数個の気泡を有するものである。発泡合成樹脂体５は、例えば、ウレタン樹脂製とすることができる。発泡合成樹脂体５は、複数個の気泡に複数個の消臭材４を保持する。
【００２２】
複数個の消臭材４は、球状で非常に強度及び耐久性が高いので、発泡合成樹脂の板５Ａの上に均一にまいて気泡に入り込ませることによって良好に保持させ、崩壊しないように保護されるようにすることができる。このための好ましい方法として、発泡合成樹脂の板５Ａ上に水をまいておき、多数個の消臭材４を、図５に示すように、散布器７により発泡合成樹脂の板５Ａに散布する方法がある。そうした発泡合成樹脂の板５Ａでは、板５Ａにしみ込む水とともに消臭材４が気泡に入り込むようになる。その後、後述するように、発泡合成樹脂の板５Ａから下記のようにして発泡合成樹脂体５を作製することができる。
【００２３】
発泡合成樹脂体５は、図６（ａ）、（ｂ）に示すように、発泡合成樹脂の板５Ａから発泡合成樹脂体５の正面側部分５ａと裏面側部分５ｂを切り取ってそれらの底部５ａａ、５ｂａと上部中央部５ａｂ、５ｂｂを除く端部を接合することによって作製することができる。接合していない底部５ａａ、５ｂａの内側は、消臭ハンガーカバー３をハンガー本体２を覆うように組み合わせるときに、ハンガー本体２が通過する。上部中央部５ａｂ、５ｂｂの内側は、ハンガー本体２のフック２１が通過可能なフック通過孔となる。
【００２４】
次に、シート体６について説明する。シート体６は、発泡合成樹脂体５を包むものである。シート体６の形状は、発泡合成樹脂体５の形状に応じた形状になっている。シート体６は、体臭などの分子が複数個の消臭材４まで届くように通気性を有するものであり、不織布製とすることができる。不織布製のシート体６は、過度の打撃などによって万一にも消臭材４又はそれの崩壊による欠落物などが消臭ハンガーカバー３から漏れ出て衣服に付着することのないようにできる。また、不織布製のかわりに目の大きさが小さい布製とすることができる。
【００２５】
シート体６は、図７（ａ）、（ｂ）に示すように、不織布のシート又は布地からシート体６の正面側部分６ａと裏面側部分６ｂを切り取ってそれらの底部６ａａ、６ｂａと上部中央部６ａｂ、６ｂｂを除く端部を接合（縫合）することによって作製することができる。接合していない底部６ａａ、６ｂａの内側と上部中央部６ａｂ、６ｂｂの内側はそれぞれ、発泡合成樹脂体５の上記の底部５ａａ、５ｂａの内側と上部中央部５ａｂ、５ｂｂの内側と同様な働きをする。なお、本実施形態では、発泡合成樹脂体５の内面側（ハンガー本体２に接触する側）と底部５ａｂ、５ｂｂについては、シート体６で覆ってはいないが、それらをシート体６で覆うようにすることも可能である。
【００２６】
このように、消臭ハンガーカバー３及びそれを有する消臭ハンガー１では、複数個の消臭材４は、球状で非常に強度及び耐久性が高く、また、発泡合成樹脂体５の気泡に良好に保持されて保護され、更には、シート体６を有しているので、消臭材４の欠落物や粉体などが消臭ハンガーカバーから漏れ出ることを極めて有効に防止できる。
【００２７】
以上、本発明の実施形態に係る消臭ハンガーについて説明したが、本発明は、実施形態に記載したものに限られることなく、特許請求の範囲に記載した事項の範囲内でのさまざまな設計変更が可能である。例えば、ハンガー本体２の形状は、肩幅程度の幅のゆるく曲がった棒形状などとすることができ、形状が特に限定されることはない。また、消臭ハンガーカバーの形状は、それが用いられるハンガー本体の形状に応じたものであれば、形状が特に限定されることはない。
【符号の説明】
【００２８】
１    消臭ハンガー
２    ハンガー本体
２１  フック
３    消臭ハンガーカバー
４    消臭材
４ｓ  消臭材の表面
４１  細孔
５    発泡合成樹脂体
５ａ  発泡合成樹脂体の正面側部分
５ａａ  発泡合成樹脂体の正面側部分の底部
５ａｂ  発泡合成樹脂体の正面側部分の上部中央部
５ｂ  発泡合成樹脂体の裏面側部分
５ｂａ  発泡合成樹脂体の裏面側部分の底部
５ｂｂ  発泡合成樹脂体の裏面側部分の上部中央部
５Ａ  発泡合成樹脂の板
６    シート体
６ａ  シート体の正面側部分
６ａａ  シート体の正面側部分の底部
６ａｂ  シート体の正面側部分の上部中央部
６ｂ  シート体の裏面側部分
６ｂａ  シート体の裏面側部分の底部
６ｂｂ  シート体の裏面側部分の上部中央部
７    散布器
【図１】
2019198492.tif 000003
【図２】
2019198492.tif 000004
【図３】
2019198492.tif 000005
【図４】
2019198492.tif 000006
【図５】
2019198492.tif 000007
【図６】
2019198492.tif 000008
【図７】
2019198492.tif 000009